【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
画像読取部によって原稿の画像データを光学的に読み取り、該読み取った画像データを書き込み部によって記録用紙に書き込む画像処理装置において、
前記画像読取部に依存した濃度特性を補正する第１の濃度補正手段と、
原稿濃度の再現特性を補正する第２の濃度補正手段と、
前記書き込み部に依存した濃度特性を補正する第３の濃度補正手段と、
前記第１の濃度補正手段、第２の濃度補正手段および第３の濃度補正手段を独立に制御する制御手段と、
画質処理の種類を選択する画質選択手段とを備え、前記制御手段は、前記画質選択手段により選択された画質処理の種類に基づいて前記第１の濃度補正手段、第２の濃度補正手段および／または第３の濃度補正手段を独立に制御することを特徴とする画像処理装置。
【請求項２】
前記画質選択手段は、処理内容の設定をグループ化するグループ化手段を有する事を特徴とする請求項１に記載の画像処理装置。
【請求項３】
前記画質選択手段は、前記グループ化手段によりグループ化された設定手順を任意に割り当てる割り当て手段を備えたことを特徴とする請求項２に記載の画処理装置。
【請求項４】
前記割り当て手段は、
複数の既存の画質モードの中から、通常に使用するためのモードを任意に選択する手段と、
画質特性の補正を行う補正手段と、
前記補正手段により補正する前記画質特性の補正値を任意の値に変更する手段と、
前記変更した画質特性の補正値を保存する手段とを備えたことを特徴とする請求項３記載の画像処理装置。
【請求項５】
前記割り当て手段は、
複数の既存の画質モードの中から、通常に使用するためのモードを任意に設定する手段と、
画像読み取り特性の補正を行う補正手段と、
前記補正手段により補正する前記画像読み取り特性の補正値を任意の値に変更する手段と、
前記変更した画像読み取り特性の補正値を保存する手段とを備えたことを特徴とする請求項３記載の画像処理装置。
【請求項６】
前記割り当て手段は、
複数の既存の画質モードの中から、通常に使用するためのモードを任意に設定する手段と、
画素生成特性の補正を行う補正手段と、
前記補正手段により補正する前記画素生成特性の補正値を任意の値に変更する手段と、
前記変更した画素生成特性の補正値を保存する手段とを備えたことを特徴とする請求項３記載の画像処理装置。
【請求項７】
前記割り当て手段は、
複数の既存の画質モードの中から、通常に使用するためのモードを任意に設定する手段と、
画質特性の補正を行う補正手段と、
前記補正手段により補正する前記画質特性の補正値を、一旦設定された値に対して、相対的に変更する手段と、
前記変更した画質特性の補正値を保存する手段とを備えたことを特徴とする請求項３記載の画像処理装置。
【請求項８】
前記割り当て手段は、
複数の既存の画質モードの中から、通常に使用するためのモードを任意に設定する手段と、
画像読み取り特性の補正を行う補正手段と、
前記補正手段により補正する前記画像読み取り特性の補正値を、一旦設定された値に対して、相対的に変更する手段と、
前記変更した画像読み取り特性の補正値を保存する手段とを備えたことを特徴とする請求項３記載の画像処理装置。
【請求項９】
前記割り当て手段は、
複数の既存の画質モードの中から、通常に使用するためのモードを任意に設定する手段と、
画素生成特性の補正を行う補正手段と、
前記補正手段により補正する前記画素生成特性の補正値を、一旦設定された値に対して、相対的に変更する手段と、
前記変更した画素生成特性の補正値を保存する手段とを備えたことを特徴とする請求項３記載の画像処理装置。
【請求項１０】
前記制御手段は、書き込みドットの形成を補正するドット補正手段を備えたことを特徴とする請求項１ないし９の何れか一項に記載の画像処理装置。
【請求項１１】
前記制御手段は、前記第２の濃度補正手段に入力される画像データを補正するためのフィルタ係数を切り替える切替手段を有し、
前記切替手段は、所定の閾値に基づいて低濃度部、高濃度部および中間域に分割してそれぞれ独立に補正係数を設定し、濃度レンジの選択信号を選択する選択手段を備えたことを特徴とする請求項１ないし１０の何れか一項に記載の画像処理装置。
【請求項１２】
前記制御手段は、濃度レベルに応じてデータ補正を行うデータ補正手段を有し、
前記データ補正手段は、前記画像データとは別の信号を任意に設定し、加算または減算した後、階調再現処理をおこなうことを特徴とする請求項１ないし１１の何れか一項に記載の画像処理装置。
【請求項１３】
前記ドット補正手段は、画素配列に基づいて２次元的に隣接画素のデータ補正をおこなうことを特徴とする請求項１０に記載の画像処理装置。
【請求項１４】
画像読取部によって原稿の画像データを光学的に読み取り、該読み取った画像データを書き込み部によって記録用紙に書き込む画像処理方法において、
前記画像読取部に依存した濃度特性を補正する第１の濃度補正工程と、
原稿濃度の再現特性を補正する第２の濃度補正工程と、
前記書き込み部に依存した濃度特性を補正する第３の濃度補正工程と、
前記第１の濃度補正工程、第２の濃度補正工程および第３の濃度補正工程による補正をそれぞれ独立に制御する制御工程と、
画質処理の種類を選択する画質選択工程とを含み、前記制御工程は、前記画質選択工程により選択された画質処理の種類に基づいて前記第１の濃度補正工程、第２の濃度補正工程および／または第３の濃度補正工程を独立に制御することを特徴とする画像処理方法。
【請求項１５】
前記画質選択工程は、処理内容の設定をグループ化するグループ化工程を含むことを特徴とする請求項１４に記載の画像処理方法。
【請求項１６】
前記画質選択工程は、前記グループ化工程によりグループ化された設定手順を任意に割り当てる割り当て工程を含むことを特徴とする請求項１５に記載の画像処理方法。
【請求項１７】
前記割り当て工程は、
複数の既存の画質モードの中から、通常に使用するためのモードを任意に選択する工程と、
画質特性の補正を行う補正工程と、
前記補正工程により補正する前記画質特性の補正値を任意の値に変更する工程と、
前記変更した画質特性の補正値を保存する工程とを含むことを特徴とする請求項１６記載の画像処理方法。
【請求項１８】
前記割り当て工程は、
複数の既存の画質モードの中から、通常に使用するためのモードを任意に設定する工程と、
画像読み取り特性の補正を行う補正工程と、
前記補正工程により補正する前記画像読み取り特性の補正値を任意の値に変更する工程と、
前記変更した画像読み取り特性の補正値を保存する工程とを含むことを特徴とする請求項１６記載の画像処理方法。
【請求項１９】
前記割り当て工程は、
複数の既存の画質モードの中から、通常に使用するためのモードを任意に設定する工程と、
画素生成特性の補正を行う補正工程と、
前記補正手段により補正する前記画素生成特性の補正値を任意の値に変更する工程と、
前記変更した画素生成特性の補正値を保存する工程とを備えたことを特徴とする請求項１６記載の画像処理方法。
【請求項２０】
前記割り当て工程は、
複数の既存の画質モードの中から、通常に使用するためのモードを任意に設定する工程と、
画質特性の補正を行う補正工程と、
前記補正工程により補正する前記画質特性の補正値を、一旦設定された値に対して、相対的に変更する工程と、
前記変更した画質特性の補正値を保存する工程とを含むことを特徴とする請求項１６記載の画像処理方法。
【請求項２１】
前記割り当て工程は、
複数の既存の画質モードの中から、通常に使用するためのモードを任意に設定する工程と、
画像読み取り特性の補正を行う補正工程と、
前記補正工程により補正する前記画像読み取り特性の補正値を、一旦設定された値に対して、相対的に変更する工程と、
前記変更した画像読み取り特性の補正値を保存する工程とを含むことを特徴とする請求項１６記載の画像処理方法。
【請求項２２】
前記割り当て工程は、
複数の既存の画質モードの中から、通常に使用するためのモードを任意に設定する工程と、
画素生成特性の補正を行う補正工程と、
前記補正工程により補正する前記画素生成特性の補正値を、一旦設定された値に対して、相対的に変更する工程と、
前記変更した画素生成特性の補正値を保存する工程とを含むことを特徴とする請求項１６記載の画像処理方法。
【請求項２３】
前記制御工程は、書き込みドットの形成を補正するドット補正工程を含んだことを特徴とする請求項１４ないし２２の何れか一項に記載の画像処理方法。
【請求項２４】
前記制御工程は、前記第２の濃度補正工程に入力される画像データを補正するためのフィルタ係数を切り替える切替工程を含み、
前記切替工程は、所定の閾値に基づいて低濃度部、高濃度部および中間域に分割してそれぞれ独立に補正係数を設定し、濃度レンジの選択信号を選択する選択工程を含んだことを特徴とする請求項１４ないし２３の何れか一項に記載の画像処理方法。
【請求項２５】
前記制御工程は、濃度レベルに応じてデータ補正を行うデータ補正工程を含み、
前記データ補正工程は、前記画像データとは別の信号を任意に設定し、加算または減算した後、階調再現処理をおこなうことを特徴とする請求項１４ないし２４の何れか一項に記載の画像処理方法。
【請求項２６】
前記ドット補正工程は、画素配列に基づいて２次元的に隣接画素のデータ補正をおこなうことを特徴とする請求項２３に記載の画像処理方法。
【手続補正２】
【補正対象書類名】明細書
【補正対象項目名】００１０
【補正方法】変更
【補正の内容】
【００１０】
上述した課題を解決し、目的を達成するため、本発明に係る画像処理装置は、画像読取部によって原稿の画像データを光学的に読み取り、該読み取った画像データを書き込み部によって記録用紙に書き込む画像処理装置において、前記画像読取部に依存した濃度特性を補正する第１の濃度補正手段と、原稿濃度の再現特性を補正する第２の濃度補正手段と、前記書き込み部に依存した濃度特性を補正する第３の濃度補正手段と、前記第１の濃度補正手段、第２の濃度補正手段および第３の濃度補正手段を独立に制御する制御手段と、画質処理の種類を選択する画質選択手段とを備え、前記制御手段は、前記画質選択手段により選択された画質処理の種類に基づいて前記第１の濃度補正手段、第２の濃度補正手段および／または第３の濃度補正手段を独立に制御することを特徴とする。
【手続補正３】
【補正対象書類名】明細書
【補正対象項目名】００１１
【補正方法】変更
【補正の内容】
【００１１】
本発明によれば、画像読取部に依存した濃度特性の補正、原稿濃度の再現特性の補正および書き込み部に依存した濃度特性の補正をそれぞれ独立に制御することとしたので、入力濃度補正、濃度ノッチに連動した濃度補正および書き込み濃度補正を効率良くおこなうことができる。
また本発明によれば、画質処理の種類を選択し、選択された画質処理の種類に基づいて第１の濃度補正手段、第２の濃度補正手段および／または第３の濃度補正手段を独立に制御することとしたので、画質の選択のみで各種濃度補正をおこなうことができる。
【手続補正４】
【補正対象書類名】明細書
【補正対象項目名】００１２
【補正方法】変更
【補正の内容】
【００１２】
一参考例では、前記制御手段は、前記画像データの入力濃度によってフィルタ係数を切り替える切替手段と、濃度レベルに応じてデータ補正をおこなうデータ補正手段と、書き込みドットの形成を補正するドット補正手段と、を備えたことを特徴とする。
【手続補正５】
【補正対象書類名】明細書
【補正対象項目名】００１３
【補正方法】変更
【補正の内容】
【００１３】
この参考例によれば、画像データの入力濃度によってフィルタ係数を切り替え、濃度レベルに応じたデータ補正、書き込みドット形成の補正をおこなうこととしたので、低濃度部から高濃度部まで広範囲に階調再現をおこなうことができる。
【手続補正６】
【補正対象書類名】明細書
【補正対象項目名】００１４
【補正方法】変更
【補正の内容】
【００１４】
また一参考例では、画像読取部によって原稿の画像データを光学的に読み取り、該読み取った画像データを濃度補正する画像処理装置において、前記画像読取部に依存した濃度特性を補正する第１の濃度補正手段と、原稿濃度の再現特性を補正する第２の濃度補正手段と、前記第１の濃度補正手段および第２の濃度補正手段を独立に制御する制御手段と、を備えたことを特徴とする。
【手続補正７】
【補正対象書類名】明細書
【補正対象項目名】００１５
【補正方法】変更
【補正の内容】
【００１５】
この参考例によれば、画像読取部に依存した濃度特性の補正および原稿濃度の再現特性の補正をそれぞれ独立に制御することとしたので、入力濃度補正、濃度ノッチに連動した濃度補正を効率良くおこなうことができる。
【手続補正８】
【補正対象書類名】明細書
【補正対象項目名】００１６
【補正方法】変更
【補正の内容】
【００１６】
また一参考例では、前記制御手段は、前記画像データの入力濃度によってフィルタ係数を切り替える切替手段と、濃度レベルに応じてデータ補正をおこなうデータ補正手段とを備えたことを特徴とする。
【手続補正９】
【補正対象書類名】明細書
【補正対象項目名】００１７
【補正方法】変更
【補正の内容】
【００１７】
この参考例によれば、画像データの入力濃度によってフィルタ係数を切り替え、濃度レベルに応じてデータ補正をおこなうこととしたので、低濃度部から高濃度部まで広範囲に階調再現をおこなうことができる。
【手続補正１０】
【補正対象書類名】明細書
【補正対象項目名】００１８
【補正方法】変更
【補正の内容】
【００１８】
また一参考例では、画像データを書き込み部によって記録用紙に書き込む画像処理装置において、前記書き込み部に依存した濃度特性を補正する第３の濃度補正手段と、前記第３の濃度補正手段を制御する制御手段と、を備えたことを特徴とする。
【手続補正１１】
【補正対象書類名】明細書
【補正対象項目名】００１９
【補正方法】変更
【補正の内容】
【００１９】
この参考例によれば、書き込み部に依存した濃度特性を補正制御することとしたので、書き込み濃度補正を効率良くおこなうことができる。
【手続補正１２】
【補正対象書類名】明細書
【補正対象項目名】００２０
【補正方法】変更
【補正の内容】
【００２０】
本発明の前記画質選択手段は、処理内容の設定をグループ化するグループ化手段と、前記グループ化手段によりグループ化された設定手順を任意に割り当てる割り当て手段と、を備えたことを特徴とする。
本発明によれば、処理内容の設定をグループ化し、該グループ化された設定手順を任意に割り当てることとしたので、操作者にとって簡単な手続きで所望の画質を再現することができる。
【手続補正１３】
【補正対象書類名】明細書
【補正対象項目名】００２１
【補正方法】変更
【補正の内容】
【００２１】
本発明の前記任意に割り当て手段は、複数の既存の画質モードの中から、通常に使用するためのモードを任意に選択する手段と、画質特性の補正を行う補正手段と、前記補正手段により補正する前記画質特性の補正値を任意の値に変更する手段と、前記変更した画質特性の補正値を保存する手段とを備えたことを特徴とする。
【手続補正１４】
【補正対象書類名】明細書
【補正対象項目名】００２２
【補正方法】変更
【補正の内容】
【００２２】
本発明によれば、予め画質モードとして濃度特性、フィルタ特性等の画質パラメターをひとまとまりとして提供しておき、必要なモードを選択し、もしくは補正の基準としてユーザが使用できるので、ユーザからみた操作性を非常に向上できる。
【手続補正１５】
【補正対象書類名】明細書
【補正対象項目名】００２３
【補正方法】変更
【補正の内容】
【００２３】
本発明の前記任意に割り当て手段は、複数の既存の画質モードの中から、通常に使用するためのモードを任意に設定する手段と、画像読み取り特性の補正を行う補正手段と、前記補正手段により補正する前記画像読み取り特性の補正値を任意の値に変更する手段と、前記変更した画像読み取り特性の補正値を保存する手段とを備えたことを特徴とする。
【手続補正１６】
【補正対象書類名】明細書
【補正対象項目名】００２４
【補正方法】変更
【補正の内容】
【００２４】
本発明によれば、予め画質モードとして濃度特性、フィルタ特性等の画質パラメターをひとまとまりとして提供しておき、必要なモードを選択し、もしくは補正の基準としてユーザが使用できるので、ユーザからみた操作性を非常に向上できる。
【手続補正１７】
【補正対象書類名】明細書
【補正対象項目名】００２５
【補正方法】変更
【補正の内容】
【００２５】
本発明の前記任意に割り当て手段は、複数の既存の画質モードの中から、通常に使用するためのモードを任意に設定する手段と、画素生成特性の補正を行う補正手段と、前記補正手段により補正する前記画素生成特性の補正値を任意の値に変更する手段と、前記変更した画素生成特性の補正値を保存する手段とを備えたことを特徴とする。
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】変更
【補正の内容】
【００２７】
本発明によれば、予め画質モードとして濃度特性、フィルタ特性等の画質パラメターをひとまとまりとして提供しておき、必要なモードを選択し、もしくは補正の基準としてユーザが使用できるので、ユーザからみた操作性を非常に向上できる。
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】変更
【補正の内容】
【００２９】
本発明の前記任意に割り当て手段は、複数の既存の画質モードの中から、通常に使用するためのモードを任意に設定する手段と、画質特性の補正を行う補正手段と、前記補正手段により補正する前記画質特性の補正値を、一旦設定された値に対して、相対的に変更する手段と、前記変更した画質特性の補正値を保存する手段とを備えたことを特徴とする。
【手続補正２２】
【補正対象書類名】明細書
【補正対象項目名】００３０
【補正方法】変更
【補正の内容】
【００３０】
本発明によれば、予め画質モードとして濃度特性、フィルタ特性等の画質パラメターをひとまとまりとして提供しておき、必要なモードを選択し、もしくは補正の基準としてユーザが使用でき且つ、特に、設定内容の変更が必要となった際の補正を行う場合に、各調整値を、現在の設定値に対して値を増減をすることにより調整でき、ユーザからみた操作性を非常に向上できる。
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】変更
【補正の内容】
【００３２】
本発明の前記任意に割り当て手段は、複数の既存の画質モードの中から、通常に使用するためのモードを任意に設定する手段と、画像読み取り特性の補正を行う補正手段と、前記補正手段により補正する前記画像読み取り特性の補正値を、一旦設定された値に対して、相対的に変更する手段と、前記変更した画像読み取り特性の補正値を保存する手段とを備えたことを特徴とする。
【手続補正２５】
【補正対象書類名】明細書
【補正対象項目名】００３３
【補正方法】変更
【補正の内容】
【００３３】
本発明によれば、予め画質モードとして濃度特性、フィルタ特性等の画質パラメターをひとまとまりとして提供しておき、必要なモードを選択し、もしくは補正の基準としてユーザが使用でき且つ、特に、設定内容の変更が必要となった際の補正を行う場合に、各調整値を、現在の設定値に対して値を増減をすることにより調整でき、ユーザからみた操作性を非常に向上できる。
【手続補正２６】
【補正対象書類名】明細書
【補正対象項目名】００３４
【補正方法】変更
【補正の内容】
【００３４】
本発明の前記制御手段は、書き込みドットの形成を補正するドット補正手段を備えたことを特徴とする。
【手続補正２７】
【補正対象書類名】明細書
【補正対象項目名】００３５
【補正方法】変更
【補正の内容】
【００３５】
本発明によれば、書き込みドットの形成を補正することとしたので、シャープな文字や画像などを階調再現することができる。
【手続補正２８】
【補正対象書類名】明細書
【補正対象項目名】００３６
【補正方法】変更
【補正の内容】
【００３６】
本発明の前記制御手段は、前記第２の濃度補正手段に入力される画像データを補正するためのフィルタ係数を切り替える切替手段を有し、前記切替手段は、所定の閾値に基づいて低濃度部、高濃度部および中間域に分割してそれぞれ独立に補正係数を設定し、濃度レンジの選択信号を選択する選択手段を備えたことを特徴とする。
【手続補正２９】
【補正対象書類名】明細書
【補正対象項目名】００３７
【補正方法】変更
【補正の内容】
【００３７】
本発明によれば、所定の閾値に基づいて低濃度部、高濃度部および中間域に分割してそれぞれ独立に補正係数を設定し、濃度レンジの選択信号を選択することとしたので、低濃度の文字画像や高濃度のベタ画像などの特徴量の異なる画像データを均一な出力画像とすることができる。
【手続補正３０】
【補正対象書類名】明細書
【補正対象項目名】００３８
【補正方法】変更
【補正の内容】
【００３８】
本発明の前記制御手段は、濃度レベルに応じてデータ補正を行うデータ補正手段を有し、前記データ補正手段は、前記画像データとは別の信号を任意に設定し、加算または減算した後、階調再現処理をおこなうことを特徴とする。
【手続補正３１】
【補正対象書類名】明細書
【補正対象項目名】００３９
【補正方法】変更
【補正の内容】
【００３９】
本発明によれば、画像データとは別の信号を任意に設定し、加算または減算した後、階調再現処理をおこなうこととしたので、低濃度部の均一画像での連続性を改善することができる。
また本発明の画像処理装置は、前記ドット補正手段は、画素配列に基づいて２次元的に隣接画素のデータ補正をおこなうことを特徴とする。
【手続補正３２】
【補正対象書類名】明細書
【補正対象項目名】００４０
【補正方法】変更
【補正の内容】
【００４０】
本発明によれば、画素配列に基づいて２次元的に隣接画素のデータ補正をおこなうこととしたので、書き込み部の特性を考慮し、電気的な出力信号が忠実に再現できるドットに形状を補正することができる。
【手続補正３３】
【補正対象書類名】明細書
【補正対象項目名】００４１
【補正方法】変更
【補正の内容】
【００４１】
本発明の画像処理方法は、画像読取部によって原稿の画像データを光学的に読み取り、該読み取った画像データを書き込み部によって記録用紙に書き込む画像処理方法において、前記画像読取部に依存した濃度特性を補正する第１の濃度補正工程と、原稿濃度の再現特性を補正する第２の濃度補正工程と、前記書き込み部に依存した濃度特性を補正する第３の濃度補正工程と、前記第１の濃度補正工程、第２の濃度補正工程および第３の濃度補正工程による補正をそれぞれ独立に制御する制御工程と、画質処理の種類を選択する画質選択工程とを含み、前記制御工程は、前記画質選択工程により選択された画質処理の種類に基づいて前記第１の濃度補正工程、第２の濃度補正工程および／または第３の濃度補正工程を独立に制御することを特徴とする。
【手続補正３４】
【補正対象書類名】明細書
【補正対象項目名】００４２
【補正方法】変更
【補正の内容】
【００４２】
本発明によれば、画像読取部に依存した濃度特性の補正、原稿濃度の再現特性の補正および書き込み部に依存した濃度特性の補正をそれぞれ独立に制御することとしたので、入力濃度補正、濃度ノッチに連動した濃度補正および書き込み濃度補正を効率良くおこなうことができる。
また本発明によれば、画質処理の種類を選択し、選択された画質処理の種類に基づいて第１の濃度補正工程、第２の濃度補正工程および／または第３の濃度補正工程の補正を独立に制御することとしたので、画質の選択のみで各種濃度補正をおこなうことができる。
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００５６
【補正方法】削除
【補正の内容】
【手続補正４９】
【補正対象書類名】明細書
【補正対象項目名】００５７
【補正方法】削除
【補正の内容】
【手続補正５０】
【補正対象書類名】明細書
【補正対象項目名】００５８
【補正方法】削除
【補正の内容】
【手続補正５１】
【補正対象書類名】明細書
【補正対象項目名】００５９
【補正方法】削除
【補正の内容】
【手続補正５２】
【補正対象書類名】明細書
【補正対象項目名】００６０
【補正方法】削除
【補正の内容】
【手続補正５３】
【補正対象書類名】明細書
【補正対象項目名】００６１
【補正方法】削除
【補正の内容】
【手続補正５４】
【補正対象書類名】明細書
【補正対象項目名】００６２
【補正方法】削除
【補正の内容】
【手続補正５５】
【補正対象書類名】明細書
【補正対象項目名】００６３
【補正方法】削除
【補正の内容】
【手続補正５６】
【補正対象書類名】明細書
【補正対象項目名】００６４
【補正方法】削除
【補正の内容】
【手続補正５７】
【補正対象書類名】明細書
【補正対象項目名】００６５
【補正方法】削除
【補正の内容】
【手続補正５８】
【補正対象書類名】明細書
【補正対象項目名】００６６
【補正方法】削除
【補正の内容】
【手続補正５９】
【補正対象書類名】明細書
【補正対象項目名】００６７
【補正方法】削除
【補正の内容】
【手続補正６０】
【補正対象書類名】明細書
【補正対象項目名】００６８
【補正方法】削除
【補正の内容】
【手続補正６１】
【補正対象書類名】明細書
【補正対象項目名】００６９
【補正方法】変更
【補正の内容】
【００６９】
以上説明したように、本発明によれば、画像読取部に依存した濃度特性の補正、原稿濃度の再現特性の補正および書き込み部に依存した濃度特性の補正をそれぞれ独立に制御するよう構成したので、入力濃度補正、濃度ノッチに連動した濃度補正および書き込み濃度補正を効率良くおこなうことができるという効果を奏する。
また本発明によれば、画質処理の種類を選択し、選択された画質処理の種類に基づいて第１の濃度補正手段、第２の濃度補正手段および／または第３の濃度補正手段を独立に制御するよう構成したので、画質の選択のみで各種濃度補正をおこなうことができるという効果を奏する。
【手続補正６２】
【補正対象書類名】明細書
【補正対象項目名】００７０
【補正方法】変更
【補正の内容】
【００７０】
また本発明によれば、画像データの入力濃度によってフィルタ係数を切り替え、濃度レベルに応じたデータ補正、書き込みドット形成の補正をおこなうよう構成したので、低濃度部から高濃度部まで広範囲に階調再現をおこなうことができるという効果を奏する。
【手続補正６３】
【補正対象書類名】明細書
【補正対象項目名】００７１
【補正方法】変更
【補正の内容】
【００７１】
また本発明によれば、画像読取部に依存した濃度特性の補正および原稿濃度の再現特性の補正をそれぞれ独立に制御するよう構成したので、入力濃度補正、濃度ノッチに連動した濃度補正を効率良くおこなうことができるという効果を奏する。
【手続補正６４】
【補正対象書類名】明細書
【補正対象項目名】００７２
【補正方法】変更
【補正の内容】
【００７２】
また本発明によれば、画像データの入力濃度によってフィルタ係数を切り替え、濃度レベルに応じてデータ補正をおこなうよう構成したので、低濃度部から高濃度部まで広範囲に階調再現をおこなうことができるという効果を奏する。
【手続補正６５】
【補正対象書類名】明細書
【補正対象項目名】００７３
【補正方法】変更
【補正の内容】
【００７３】
また本発明によれば、書き込み部に依存した濃度特性を補正制御するよう構成したので、書き込み濃度補正を効率良くおこなうことができるという効果を奏する。
【手続補正６６】
【補正対象書類名】明細書
【補正対象項目名】００７４
【補正方法】変更
【補正の内容】
【００７４】
また本発明によれば、書き込みドットの形成を補正するよう構成したので、シャープな文字や画像などを階調再現することができるという効果を奏する。
【手続補正６７】
【補正対象書類名】明細書
【補正対象項目名】００７５
【補正方法】変更
【補正の内容】
【００７５】
また本発明によれば、所定の閾値に基づいて低濃度部、高濃度部および中間域に分割してそれぞれ独立に補正係数を設定し、濃度レンジの選択信号を選択するよう構成したので、低濃度の文字画像や高濃度のベタ画像などの特徴量の異なる画像データを均一な出力画像とすることができるという効果を奏する。
【手続補正６８】
【補正対象書類名】明細書
【補正対象項目名】００７６
【補正方法】変更
【補正の内容】
【００７６】
また本発明によれば、画像データとは別の信号を任意に設定し、加算または減算した後、階調再現処理をおこなうよう構成したので、低濃度部の均一画像での連続性を改善することができるという効果を奏する。
【手続補正６９】
【補正対象書類名】明細書
【補正対象項目名】００７７
【補正方法】変更
【補正の内容】
【００７７】
また本発明によれば、画素配列に基づいて２次元的に隣接画素のデータ補正をおこなうよう構成したので、書き込み部の特性を考慮し、電気的な出力信号が忠実に再現できるドットに形状を補正することができるという効果を奏する。
【手続補正７０】
【補正対象書類名】明細書
【補正対象項目名】００７８
【補正方法】変更
【補正の内容】
【００７８】
また本発明によれば、画質処理の種類を選択し、選択された画質処理の種類に基づいて第１の濃度補正手段、第２の濃度補正手段および／または第３の濃度補正手段を独立に制御するよう構成したので、画質の選択のみで各種濃度補正をおこなうことができるという効果を奏する。
【手続補正７１】
【補正対象書類名】明細書
【補正対象項目名】００７９
【補正方法】変更
【補正の内容】
【００７９】
また本発明によれば、処理内容の設定をグループ化し、該グループ化された設定手順を任意に割り当てるよう構成したので、操作者にとって簡単な手続きで所望の画質を再現することができるという効果を奏する。
【手続補正７２】
【補正対象書類名】明細書
【補正対象項目名】００８０
【補正方法】変更
【補正の内容】
【００８０】
また本発明よれば、複数の既存の画質モードの中から、通常に使用するためのモードを任意に選択し、画質特性を任意の補正値に変更でき、且つ、変更した画質特性の補正値を保存することができる構成としたので、ユーザは、必要なモードを選択し、もしくは補正の基準として使用することにより、操作性を非常に向上できる。
【手続補正７３】
【補正対象書類名】明細書
【補正対象項目名】００８１
【補正方法】変更
【補正の内容】
【００８１】
また発明によれば、複数の既存の画質モードの中から、通常に使用するためのモードを任意に選択し、画像読み取り特性を任意の補正値に変更でき、且つ、変更した画像読み取り特性の補正値を保存することができる構成としたので、ユーザは、必要なモードを選択し、もしくは補正の基準として使用することにより、操作性を非常に向上できる。
【手続補正７４】
【補正対象書類名】明細書
【補正対象項目名】００８２
【補正方法】変更
【補正の内容】
【００８２】
また本発明によれば、複数の既存の画質モードの中から、通常に使用するためのモードを任意に選択し、画素生成特性を任意の補正値に変更でき、且つ、変更した画素生成特性の補正値を保存することができる構成としたので、ユーザは、必要なモードを選択し、もしくは補正の基準として使用することにより、操作性を非常に向上できる。
【手続補正７５】
【補正対象書類名】明細書
【補正対象項目名】００８３
【補正方法】変更
【補正の内容】
【００８３】
また本発明によれば、複数の既存の画質モードの中から、通常に使用するためのモードを任意に設定し、記画質特性の補正を、一旦設定された補正値に対して、相対的に変更するでき、且つ、前記変更した画質特性の補正値を保存することができる構成としたので、ユーザは、必要なモードを選択し、もしくは補正の基準としてユーザが使用し且つ、特に、設定内容の変更が必要となった際の補正を行う場合に、各調整値を、現在の設定値に対して値を増減をすることにより調整でき、ユーザからみた操作性を非常に向上できる。
【手続補正７６】
【補正対象書類名】明細書
【補正対象項目名】００８４
【補正方法】変更
【補正の内容】
【００８４】
また本発明によれば、複数の既存の画質モードの中から、通常に使用するためのモードを任意に設定し、画像読み取り特性の補正を、一旦設定された補正値に対して、相対的に変更するでき、且つ、前記変更した画像読み取り特性の補正値を保存することができる構成としたので、ユーザは、必要なモードを選択し、もしくは補正の基準としてユーザが使用し且つ、特に、設定内容の変更が必要となった際の補正を行う場合に、各調整値を、現在の設定値に対して値を増減をすることにより調整でき、ユーザからみた操作性を非常に向上できる。
【手続補正７７】
【補正対象書類名】明細書
【補正対象項目名】００８５
【補正方法】変更
【補正の内容】
【００８５】
また本発明によれば、複数の既存の画質モードの中から、通常に使用するためのモードを任意に設定し、画素生成特性の補正を、一旦設定された補正値に対して、相対的に変更するでき、且つ、前記変更した画素生成特性の補正値を保存することができる構成としたので、ユーザは、必要なモードを選択し、もしくは補正の基準としてユーザが使用し且つ、特に、設定内容の変更が必要となった際の補正を行う場合に、各調整値を、現在の設定値に対して値を増減をすることにより調整でき、ユーザからみた操作性を非常に向上できる。
【手続補正７８】
【補正対象書類名】明細書
【補正対象項目名】００８６
【補正方法】削除
【補正の内容】
【手続補正７９】
【補正対象書類名】明細書
【補正対象項目名】００８７
【補正方法】削除
【補正の内容】
【手続補正８０】
【補正対象書類名】明細書
【補正対象項目名】００８８
【補正方法】削除
【補正の内容】
【手続補正８１】
【補正対象書類名】明細書
【補正対象項目名】００８９
【補正方法】削除
【補正の内容】
【手続補正８２】
【補正対象書類名】明細書
【補正対象項目名】００９０
【補正方法】削除
【補正の内容】
【手続補正８３】
【補正対象書類名】明細書
【補正対象項目名】００９１
【補正方法】削除
【補正の内容】
【手続補正８４】
【補正対象書類名】明細書
【補正対象項目名】００９２
【補正方法】削除
【補正の内容】
【手続補正８５】
【補正対象書類名】明細書
【補正対象項目名】００９３
【補正方法】削除
【補正の内容】
【手続補正８６】
【補正対象書類名】明細書
【補正対象項目名】００９４
【補正方法】削除
【補正の内容】
【手続補正８７】
【補正対象書類名】明細書
【補正対象項目名】００９５
【補正方法】削除
【補正の内容】
【手続補正８８】
【補正対象書類名】明細書
【補正対象項目名】００９６
【補正方法】削除
【補正の内容】
【手続補正８９】
【補正対象書類名】明細書
【補正対象項目名】００９７
【補正方法】削除
【補正の内容】
【手続補正９０】
【補正対象書類名】明細書
【補正対象項目名】００９８
【補正方法】削除
【補正の内容】
【手続補正９１】
【補正対象書類名】明細書
【補正対象項目名】０３０５
【補正方法】変更
【補正の内容】
【０３０５】
以上説明したように、本発明によれば、画像読取部に依存した濃度特性の補正、原稿濃度の再現特性の補正および書き込み部に依存した濃度特性の補正をそれぞれ独立に制御するよう構成したので、入力濃度補正、濃度ノッチに連動した濃度補正および書き込み濃度補正を効率良くおこなうことができるという効果を奏する。
また本発明によれば、画質処理の種類を選択し、選択された画質処理の種類に基づいて第１の濃度補正手段、第２の濃度補正手段および／または第３の濃度補正手段を独立に制御するよう構成したので、画質の選択のみで各種濃度補正をおこなうことができるという効果を奏する。
【手続補正９２】
【補正対象書類名】明細書
【補正対象項目名】０３０６
【補正方法】変更
【補正の内容】
【０３０６】
また本発明によれば、画像データの入力濃度によってフィルタ係数を切り替え、濃度レベルに応じたデータ補正、書き込みドット形成の補正をおこなうよう構成したので、低濃度部から高濃度部まで広範囲に階調再現をおこなうことができるという効果を奏する。
【手続補正９３】
【補正対象書類名】明細書
【補正対象項目名】０３０７
【補正方法】変更
【補正の内容】
【０３０７】
また本発明によれば、画像読取部に依存した濃度特性の補正および原稿濃度の再現特性の補正をそれぞれ独立に制御するよう構成したので、入力濃度補正、濃度ノッチに連動した濃度補正を効率良くおこなうことができるという効果を奏する。
【手続補正９４】
【補正対象書類名】明細書
【補正対象項目名】０３０８
【補正方法】変更
【補正の内容】
【０３０８】
また本発明によれば、画像データの入力濃度によってフィルタ係数を切り替え、濃度レベルに応じてデータ補正をおこなうよう構成したので、低濃度部から高濃度部まで広範囲に階調再現をおこなうことができるという効果を奏する。
【手続補正９５】
【補正対象書類名】明細書
【補正対象項目名】０３０９
【補正方法】変更
【補正の内容】
【０３０９】
また本発明によれば、書き込み部に依存した濃度特性を補正制御するよう構成したので、書き込み濃度補正を効率良くおこなうことができるという効果を奏する。
【手続補正９６】
【補正対象書類名】明細書
【補正対象項目名】０３１０
【補正方法】変更
【補正の内容】
【０３１０】
また本発明によれば、書き込みドットの形成を補正するよう構成したので、シャープな文字や画像などを階調再現することができるという効果を奏する。
【手続補正９７】
【補正対象書類名】明細書
【補正対象項目名】０３１１
【補正方法】変更
【補正の内容】
【０３１１】
また本発明によれば、所定の閾値に基づいて低濃度部、高濃度部および中間域に分割してそれぞれ独立に補正係数を設定し、濃度レンジの選択信号を選択するよう構成したので、低濃度の文字画像や高濃度のベタ画像などの特徴量の異なる画像データを均一な出力画像とすることができるという効果を奏する。
【手続補正９８】
【補正対象書類名】明細書
【補正対象項目名】０３１２
【補正方法】変更
【補正の内容】
【０３１２】
また本発明によれば、画像データとは別の信号を任意に設定し、加算または減算した後、階調再現処理をおこなうよう構成したので、低濃度部の均一画像での連続性を改善することができるという効果を奏する。
【手続補正９９】
【補正対象書類名】明細書
【補正対象項目名】０３１３
【補正方法】変更
【補正の内容】
【０３１３】
また本発明によれば、画素配列に基づいて２次元的に隣接画素のデータ補正をおこなうよう構成したので、書き込み部の特性を考慮し、電気的な出力信号が忠実に再現できるドットに形状を補正することができるという効果を奏する。
【手続補正１００】
【補正対象書類名】明細書
【補正対象項目名】０３１４
【補正方法】変更
【補正の内容】
【０３１４】
また本発明によれば、画質処理の種類を選択し、選択された画質処理の種類に基づいて第１の濃度補正手段、第２の濃度補正手段および／または第３の濃度補正手段を独立に制御するよう構成したので、画質の選択のみで各種濃度補正をおこなうことができるという効果を奏する。
【手続補正１０１】
【補正対象書類名】明細書
【補正対象項目名】０３１５
【補正方法】変更
【補正の内容】
【０３１５】
また本発明によれば、処理内容の設定をグループ化し、該グループ化された設定手順を任意に割り当てるよう構成したので、操作者にとって簡単な手続きで所望の画質を再現することができるという効果を奏する。
【手続補正１０２】
【補正対象書類名】明細書
【補正対象項目名】０３１６
【補正方法】変更
【補正の内容】
【０３１６】
また本発明よれば、複数の既存の画質モードの中から、通常に使用するためのモードを任意に選択し、画質特性を任意の補正値に変更でき、且つ、変更した画質特性の補正値を保存することができる構成としたので、ユーザは、必要なモードを選択し、もしくは補正の基準として使用することにより、操作性を非常に向上できる。
【手続補正１０３】
【補正対象書類名】明細書
【補正対象項目名】０３１７
【補正方法】変更
【補正の内容】
【０３１７】
また発明によれば、複数の既存の画質モードの中から、通常に使用するためのモードを任意に選択し、画像読み取り特性を任意の補正値に変更でき、且つ、変更した画像読み取り特性の補正値を保存することができる構成としたので、ユーザは、必要なモードを選択し、もしくは補正の基準として使用することにより、操作性を非常に向上できる。
【手続補正１０４】
【補正対象書類名】明細書
【補正対象項目名】０３１８
【補正方法】変更
【補正の内容】
【０３１８】
また本発明によれば、複数の既存の画質モードの中から、通常に使用するためのモードを任意に選択し、画素生成特性を任意の補正値に変更でき、且つ、変更した画素生成特性の補正値を保存することができる構成としたので、ユーザは、必要なモードを選択し、もしくは補正の基準として使用することにより、操作性を非常に向上できる。
【手続補正１０５】
【補正対象書類名】明細書
【補正対象項目名】０３１９
【補正方法】変更
【補正の内容】
【０３１９】
また本発明によれば、複数の既存の画質モードの中から、通常に使用するためのモードを任意に設定し、記画質特性の補正を、一旦設定された補正値に対して、相対的に変更するでき、且つ、前記変更した画質特性の補正値を保存することができる構成としたので、ユーザは、必要なモードを選択し、もしくは補正の基準としてユーザが使用し且つ、特に、設定内容の変更が必要となった際の補正を行う場合に、各調整値を、現在の設定値に対して値を増減をすることにより調整でき、ユーザからみた操作性を非常に向上できる。
【手続補正１０６】
【補正対象書類名】明細書
【補正対象項目名】０３２０
【補正方法】変更
【補正の内容】
【０３２０】
また本発明によれば、複数の既存の画質モードの中から、通常に使用するためのモードを任意に設定し、画像読み取り特性の補正を、一旦設定された補正値に対して、相対的に変更するでき、且つ、前記変更した画像読み取り特性の補正値を保存することができる構成としたので、ユーザは、必要なモードを選択し、もしくは補正の基準としてユーザが使用し且つ、特に、設定内容の変更が必要となった際の補正を行う場合に、各調整値を、現在の設定値に対して値を増減をすることにより調整でき、ユーザからみた操作性を非常に向上できる。
【手続補正１０７】
【補正対象書類名】明細書
【補正対象項目名】０３２１
【補正方法】変更
【補正の内容】
【０３２１】
また本発明によれば、複数の既存の画質モードの中から、通常に使用するためのモードを任意に設定し、画素生成特性の補正を、一旦設定された補正値に対して、相対的に変更するでき、且つ、前記変更した画素生成特性の補正値を保存することができる構成としたので、ユーザは、必要なモードを選択し、もしくは補正の基準としてユーザが使用し且つ、特に、設定内容の変更が必要となった際の補正を行う場合に、各調整値を、現在の設定値に対して値を増減をすることにより調整でき、ユーザからみた操作性を非常に向上できる。
【手続補正１０８】
【補正対象書類名】明細書
【補正対象項目名】０３２２
【補正方法】削除
【補正の内容】
【手続補正１０９】
【補正対象書類名】明細書
【補正対象項目名】０３２３
【補正方法】削除
【補正の内容】
【手続補正１１０】
【補正対象書類名】明細書
【補正対象項目名】０３２４
【補正方法】削除
【補正の内容】
【手続補正１１１】
【補正対象書類名】明細書
【補正対象項目名】０３２５
【補正方法】削除
【補正の内容】
【手続補正１１２】
【補正対象書類名】明細書
【補正対象項目名】０３２６
【補正方法】削除
【補正の内容】
【手続補正１１３】
【補正対象書類名】明細書
【補正対象項目名】０３２７
【補正方法】削除
【補正の内容】
【手続補正１１４】
【補正対象書類名】明細書
【補正対象項目名】０３２８
【補正方法】削除
【補正の内容】
【手続補正１１５】
【補正対象書類名】明細書
【補正対象項目名】０３２９
【補正方法】削除
【補正の内容】
【手続補正１１６】
【補正対象書類名】明細書
【補正対象項目名】０３３０
【補正方法】削除
【補正の内容】
【手続補正１１７】
【補正対象書類名】明細書
【補正対象項目名】０３３１
【補正方法】削除
【補正の内容】
【手続補正１１８】
【補正対象書類名】明細書
【補正対象項目名】０３３２
【補正方法】削除
【補正の内容】
【手続補正１１９】
【補正対象書類名】明細書
【補正対象項目名】０３３３
【補正方法】削除
【補正の内容】
【手続補正１２０】
【補正対象書類名】明細書
【補正対象項目名】０３３４
【補正方法】削除
【補正の内容】